(57)【要約】【課題】自然エネルギー発電装置の余剰電力を余すことなく利用してエネルギーの利用効率向上並びに電力需要及び水素需要への安定供給を実現し、系統運用の安定化を図る。【解決手段】各マイクログリッド２０のローカル監視制御装置１６０では、エネルギー算出部１６３が各マイクログリッド２０の電力需要及び水素需要に対する電力及び水素の過剰分及び不足分を求める。中央監視制御装置４０は、ローカル監視制御装置１６０が求めた任意のマイクログリッド２０における電力及び水素の過剰分を、別のマイクログリッド２０に融通するように、融通指令を出力する。エネルギー融通機構３０は、融通指令に基づいてマイクログリッド２０ａ、２０ｂ間で電力及び水素の過剰分のエネルギーを融通する。【選択図】図１
2019022381.tif 000002
【特許請求の範囲】
【請求項１】
自然エネルギーを用いて電力を生成する自然エネルギー発電装置と、
前記自然エネルギー発電装置が生成した電力を用いて水を電気分解し水素を生成する水電解装置と、
前記水電解装置で生成した水素を貯蔵する水素貯蔵タンクと、
前記水素貯蔵タンクに貯蔵した水素と空気中の酸素との化学反応により電力を生成する燃料電池と、
電力を消費する電力需要と、
水素を消費する水素需要と、
を有するマイクログリッドを複数設けたマイクログリッド連系システムであって、
任意の時間帯において前記各マイクログリッドで使い切れない電力及び水素の過剰分を求めるローカル監視制御装置と、
前記ローカル監視制御装置から前記各マイクログリッドの前記過剰分のデータを収集し、前記各マイクログリッドの前記過剰分のエネルギーを別の前記マイクログリッドに融通するための融通指令を出力する中央監視制御装置と、
前記融通指令に基づいて前記マイクログリッド間で前記過剰分のエネルギーを融通するエネルギー融通機構と、を備えたマイクログリッド連系システム。
【請求項２】
前記ローカル監視制御装置は、任意の時間帯における前記各マイクログリッドでの電力又は水素の不足分を求め、
前記中央監視制御装置は、前記ローカル監視制御装置から前記各マイクログリッドの前記不足分についてのデータを収集し、前記過剰分を持つ前記マイクログリッドから前記不足分を持つ別の前記マイクログリッドに対して前記不足分を補うように前記融通指令を出力する請求項１に記載のマイクログリッド連系システム。
【請求項３】
前記ローカル監視制御装置は、前記水素貯蔵タンクの水素貯蔵状態を監視して任意の時間帯における当該水素貯蔵タンクのタンク空き容量を求め、
前記中央監視制御装置は、前記ローカル監視制御装置から前記各マイクログリッドの前記タンク空き容量についてのデータを収集し、前記過剰分を持つ前記マイクログリッドから前記タンク空き容量を持つ別の前記マイクログリッドに対して、前記不足分を補い、且つ前記タンク空き容量に相当する電力分又は水素分まで前記過剰分のエネルギーを融通するように融通指令を出力する請求項２に記載のマイクログリッド連系システム。
【請求項４】
前記エネルギー融通機構は、前記マイクログリッド間に水素を流すパイプラインを設置し、
前記中央監視制御装置は、前記パイプラインを用いて水素を融通する水素融通指令を、前記エネルギー融通機構に出力する請求項１〜３のいずれかに記載のマイクログリッド連系システム。
【請求項５】
前記パイプラインを前記各マイクログリッドの前記水素貯蔵タンクに接続する請求項４に記載のマイクログリッド連系システム。
【請求項６】
前記パイプラインを介して水素を供給された前記マイクログリッドでは、前記水素を前記燃料電池に与えて電力を生成する請求項４又は５に記載のマイクログリッド連系システム。
【請求項７】
前記エネルギー融通機構は、前記マイクログリッド間に送電線を設置し、
前記中央監視制御装置は、前記送電線を用いて電力を融通する電力融通指令を、前記エネルギー融通機構に出力する請求項１〜６のいずれかに記載のマイクログリッド連系システム。
【請求項８】
前記送電線を介して電力を供給された前記マイクログリッドでは、前記電力を前記水電解装置に与えて水素を生成する請求項７に記載のマイクログリッド連系システム。
【請求項９】
前記自然エネルギー発電装置に蓄電池を接続した請求項１〜８のいずれかに記載のマイクログリッド連系システム。
【請求項１０】
自然エネルギーを用いて電力を生成して電力需要に供給する自然エネルギー発電装置と、
前記自然エネルギー発電装置が生成した電力を用いて水を電気分解し水素を生成する水電解装置と、
前記水電解装置で生成した水素を貯蔵する水素貯蔵タンクと、
前記水素貯蔵タンクに貯蔵した水素と空気中の酸素との化学反応により電力を生成する燃料電池と、
電力を消費する電力需要と、
水素を消費する水素需要と、
を有するマイクログリッドを複数設け、コンピュータにより複数のマイクログリッドを連系して制御するマイクログリッド連系制御方法において、
前記コンピュータは、
任意の時間帯において前記各マイクログリッドで使い切れない電力及び水素の過剰分を求めるローカル監視制御処理と、
前記各マイクログリッドの前記過剰分のデータを収集し、前記各マイクログリッドの前記過剰分のエネルギーを別の前記マイクログリッドに融通するための融通指令を出力する中央監視制御処理と、
前記融通指令に基づいて前記マイクログリッド間で前記過剰分のエネルギーを融通する処理と、
を実行するマイクログリッド連系制御方法。
【請求項１１】
自然エネルギーを用いて電力を生成して電力需要に供給する自然エネルギー発電装置と、
前記自然エネルギー発電装置が生成した電力を用いて水を電気分解し水素を生成する水電解装置と、
前記水電解装置で生成した水素を貯蔵する水素貯蔵タンクと、
前記水素貯蔵タンクに貯蔵した水素と空気中の酸素との化学反応により電力を生成する燃料電池と、
電力を消費する電力需要と、
水素を消費する水素需要と、
を有するマイクログリッドを複数設け、コンピュータに複数のマイクログリッドを連系させて制御させるマイクログリッド連系制御プログラムにおいて、
前記コンピュータに、
任意の時間帯において前記各マイクログリッドで使い切れない電力及び水素の過剰分を求めるローカル監視制御処理と、
前記各マイクログリッドの前記過剰分のデータを収集し、前記各マイクログリッドの前記過剰分のエネルギーを別の前記マイクログリッドに融通するための融通指令を出力する中央監視制御処理と、
前記融通指令に基づいて前記マイクログリッド間で前記過剰分のエネルギーを融通する処理と、
を実行させるマイクログリッド連系制御プログラム。
【発明の詳細な説明】
【技術分野】
【０００１】
本発明の実施形態は、水電解装置、水素貯蔵タンク、並びに自然エネルギー発電装置及び燃料電池を備えたマイクログリッドを、複数有するマイクログリッド連系システムと、このシステムを連系して制御するためのマイクログリッド連系制御方法、並びにマイクログリッド連系制御プログラムに関するものである。
【背景技術】
【０００２】
離島や山岳地などでは、基幹系統との連系が困難であり、大規模発電所からの電力送電ができないことがある。そのため、これらの地域では、風力発電や太陽光発電などの自然エネルギー発電装置を、主たる電源として用いるマイクログリッドが提案されている。ただし、自然エネルギー発電装置は自然条件によって発電量が左右されるという問題がある。
【０００３】
そこでマイクログリッドでは、自然エネルギー発電装置だけではなく、水素生成用の水電解装置と、水素貯蔵用のタンクと、水素を用いて発電する燃料電池とを組み合わせて構成している。例えば、ある時間帯において自然エネルギー装置の発電量が少なく、マイクログリッドで電力不足が予測されたとする。
【０００４】
この場合、タンク内に貯蔵しておいた水素を燃料電池に与えることで、燃料電池を発電させ、発電した電力を電力需要に与える。すなわちマイクログリッドでは、自然エネルギー発電装置の発電だけでは電力需要を賄えない時に、燃料電池が補助的な電源の役割を果たす。これにより、マイクログリッドでの電力不足を回避することが可能となる。
【０００５】
また、別の時間帯において、電力需要よりも自然エネルギー発電装置の発電量の方が上回った場合には、余った分の発電電力(これを余剰電力と呼ぶ)を利用して水電解装置が水素を生成する。生成した水素をタンクに貯蔵することで、燃料電池への供給に備える。このようなマイクログリッドによれば、余剰電力の有効利用により電力エネルギーを水素エネルギーに変換し、水素として蓄えることで、自然エネルギー発電装置を主たる電源として用いた場合でも電力供給の安定化が実現する。
【先行技術文献】
【特許文献】
【０００６】
【特許文献１】特開２００８−１１６１４号公報
【特許文献２】特開２００３−２５７４４３号公報
【発明の概要】
【発明が解決しようとする課題】
【０００７】
マイクログリッドでは、余剰電力を利用して水電解装置にて水素を生成しても、水素貯蔵タンクの容量が小さければ、タンクが水素ですぐ満杯になってしまう。そのため、余剰電力を水素生成に使い切れずに、自然エネルギー発電装置の余剰電力は一部を捨てざるを得なくなる。すなわち、マイクログリッドの運用に際して、水素貯蔵タンクの容量が小さいと、エネルギーの空費が発生し易く、エネルギーの利用効率が低下した。
【０００８】
また、水素貯蔵タンクの容量が小さいと、タンクから燃料電池への水素供給量も少ないことになる。したがって、水素供給量に比例して燃料電池の発電量も小さい。その結果、マイクログリッドでの電力不足分が大きい場合に、燃料電池の発電量ではカバーできず、電力需要への供給が停止するおそれがある。さらに最近では、マイクログリッドに燃料電池自動車などの水素需要を組み込むことが検討されているが、水素貯蔵タンクの容量が小さければ、水素需要への供給が停止する可能性もある。
【０００９】
以上述べたように、従来のマイクログリッドでは、エネルギーの利用効率の低下や、電力需要及び水素需要への供給停止が発生する可能性があり、系統運用の不安定化を招くおそれがある。そのため、マイクログリッドにおいて水素貯蔵タンクを大容量化することが考えられる。しかしながら、マイクログリッドは離島や山岳地などに適用されることが多いので、敷地面積の確保が難しく、マイクログリッド単位での水素の貯蔵量の増大は困難である。
【００１０】
本発明の実施形態は、以上のような状況を受けて提案されたものであり、複数のマイクログリッドを連系したシステムを構築し、マイクログリッドを統合的に制御してマイクログリッド間でエネルギーを融通することにより、自然エネルギー発電装置の余剰電力を余すことなく利用してエネルギーの利用効率向上並びに電力需要及び水素需要へのエネルギー安定供給を実現し、系統運用の安定化を図ることを課題とする。
【課題を解決するための手段】
【００１１】
上記の課題を解決するために、本実施形態は、
（１）自然エネルギーを用いて電力を生成する自然エネルギー発電装置。
（２）前記自然エネルギー発電装置が生成した電力を用いて水を電気分解し水素を生成する水電解装置。
（３）前記水電解装置で生成した水素を貯蔵する水素貯蔵タンク。
（４）前記水素貯蔵タンクに貯蔵した水素と空気中の酸素との化学反応により電力を生成する燃料電池。
（５）電力を消費する電力需要。
（６）水素を消費する水素需要。
を有するマイクログリッドを複数設けたマイクログリッド連系システムであって、下記の構成要素（７）〜（９）を備える。
（７）任意の時間帯において前記各マイクログリッドで使い切れない電力及び水素の過剰分を求めるローカル監視制御装置。
（８）前記ローカル監視制御装置から前記各マイクログリッドの前記過剰分のデータを収集し、前記各マイクログリッドの前記過剰分のエネルギーを別の前記マイクログリッドに融通するための融通指令を出力する中央監視制御装置。
（９）前記融通指令に基づいて前記マイクログリッド間で前記過剰分のエネルギーを融通するエネルギー融通機構。
また、上記のマイクログリッド連系システムにおける各形態は、各部の処理をコンピュータが実行するマイクログリッド連系制御方法の発明としても捉えることができ、さらには、各部の処理をコンピュータに実行させるマイクログリッド連系制御プログラムの発明としても捉えることができる。
【図面の簡単な説明】
【００１２】
【図１】第１の実施形態の構成を示すブロック図
【図２】第１の実施形態の各マイクログリッドの構成を示すブロック図
【図３】他の実施形態の構成を示すブロック図
【発明を実施するための形態】
【００１３】
以下、本発明に係る実施形態を、図面を参照して詳しく説明する。
（第１の実施形態）
（構成）
図１及び図２は、第１の実施形態の構成を示すブロック図である。図に示すように、第１の実施形態に係るマイクログリッド連系システム１０は、同様の構成要素を有する複数のマイクログリッド２０（図１では２つのマイクログリッド２０ａ、２０ｂと表示する）と、ローカル監視制御装置１６０と、エネルギー融通機構３０と、中央監視制御装置４０と、から構成されている。ローカル監視制御装置１６０、エネルギー融通機構３０及び中央監視制御装置４０は、ＣＰＵやメモリなどを包含し所定のプログラムで動作するコンピュータで構成されている。
【００１４】
図１では、マイクログリッド２０ａ側の各構成要素には符号の後に「ａ」を付けて表示し、マイクログリッド２０ｂ側の各構成要素には符号の後に「ｂ」を付けて表示している。説明の簡略化のため、第１の実施形態では、２地点のマイクログリッド２０が連系したマイクログリッド連系システムを示すが、３地点以上のマイクログリッド２０が連系したシステムであってもよい。マイクログリッド２０の配置地点は、地理的な条件などが加味されて適宜選択される。また、マイクログリッド２０は商用電源と連系しても良い。
【００１５】
図２は、図１のマイクログリッド連系システム１０における各マイクログリッド２０の構成を示すブロック図である。図１及び図２の矢印において、太線はシステム内の電力エネルギーの流れ、点線はシステム内の水素エネルギーの流れ、細線はシステムに含まれるマイクログリッド２０の系統データ及び指令などデータの流れを、それぞれ示している。
【００１６】
（マイクログリッドの構成要素）
図２に示すように、マイクログリッド２０には、自然エネルギー発電装置１１０と、ＡＣ／ＤＣ変換器１２１と、水電解装置１２２と、水素貯蔵タンク１２３と、水素供給装置１２４と、燃料電池１３１と、ＤＣ／ＡＣ変換器１３２と、ＡＣ／ＤＣ変換器１４１と、蓄電池１４２とが、順次接続されて設けられている。
【００１７】
自然エネルギー発電装置１１０は、自然エネルギー発電機１１１とＤＣ／ＡＣ変換器１１２とを有している。自然エネルギー発電機１１１とは、太陽光発電や風力発電、水力発電のような自然界に存在するエネルギーを用いて直流電力を生成するものであり、変換した直流電力をＤＣ／ＡＣ変換器１１２により交流電力に変換して、これを電力需要１５１に供給する。
【００１８】
水電解装置１２２は、自然エネルギー発電装置１０１が生成した電力を用いて水を電気分解し水素を生成する。水電解装置１２２は、ローカル監視制御装置１６０からの入力電力指令に応じた電力を、ＡＣ／ＤＣ変換器１２１を介して入力し、入力電力に応じて水素を生成する。
【００１９】
水素貯蔵タンク１２３は、水電解装置１２２にて生成した水素を貯蔵するタンクである。水素貯蔵タンク１２３に貯蔵された水素は、水素供給装置１２４を介して水素需要１５２に送られるか、又は、燃料電池１３１の発電に使用される。また、水素貯蔵タンク１２３にはパイプライン５２が接続されている(図１も参照)。
【００２０】
燃料電池１３１は、水素貯蔵タンク１２３に貯蔵した水素と空気中の酸素との化学反応により電力を生成する装置である。ＡＣ／ＤＣ変換器１４１は、系統の周波数と電圧を発生させる機能を有するものとする。蓄電池１４２は、自然エネルギー発電装置１１０の発電電力の短周期変動を抑制するために充放電を行うものである。
【００２１】
マイクログリッド２０には電力需要１５１と水素需要１５２とが設定される。電力需要１５１は自然エネルギー発電装置１１０あるいは燃料電池１３１から電力が与えられ、電力が消費される。水素需要１５２は、水素貯蔵タンク１２３に接続された水素供給装置１２４から水素を与えられる。水素需要１５２では与えられた水素が消費される。水素需要１５２とは、例えば、近年普及が進む燃料電池自動車への水素供給を想定したものである。
【００２２】
（ローカル監視制御装置）
ローカル監視制御装置１６０は、各マイクログリッド２０に設置されている。ローカル監視制御装置１６０は、マイクログリッド２０の系統データとして、自然エネルギー発電装置１１０の発電量と、水電解装置１２２の水素生成量と、水素貯蔵タンク１２３の水素貯蔵量と、燃料電池１３１の充電量と、電力需要１５１及び水素需要１５２とを、取り込んでいる。
【００２３】
ローカル監視制御装置１６０は、マイクログリッド２０の系統データを中央監視制御装置４０に送るようになっている。ローカル監視制御装置１６０は、任意の時間帯において各マイクログリッド２０で使い切れない電力及び水素の過剰分と、各マイクログリッド２０で不足する電力及び水素の不足分とを求める処理部である（ローカル監視制御処理）。
【００２４】
ローカル監視制御装置１６０には、ローカル監視部１６１と、ローカル制御部１６２と、エネルギー算出部１６３とが設けられている。ローカル監視部１６１は、マイクログリッド２０における電力及び水素に関する需給バランスを監視する部分である。また、ローカル監視部１６１は、水素貯蔵タンク１２３における水素貯蔵状態を監視するようになっている。
【００２５】
ローカル制御部１６２は、ローカル監視部１６１の監視結果に基づき、水電解装置１２２及び燃料電池１３１へローカル制御指令を出力する部分である。ローカル制御部１６２は、ローカル制御指令として、水電解装置１２２に対し入力電力指令を与えたり、燃料電池１３１に対し出力電力指令を与えたりする。ローカル制御部１６２からローカル制御指令を送信される水電解装置１２２及び燃料電池１３１が、マイクログリッド２０における制御対象装置となる。
【００２６】
エネルギー算出部１６３は、ローカル監視部１６１の監視結果に基づいて、任意の時間帯における各マイクログリッド２０での余剰電力、余剰水素及び電力及び水素の過剰分を求める。このうち、余剰電力とは、自然エネルギー発電装置１１０の発電電力から電力需要１５１の消費電力を差し引いた電力である。また、余剰水素とは、水素貯蔵タンク１２３での水素貯蔵量から水素需要１５２の消費水素を差し引いた水素量である。
【００２７】
各マイクログリッド２０での電力の過剰分とは、自然エネルギー発電装置１１０で発電された電力が、ある時間帯では各マイクログリッド２０に消費も利用もできず、マイクログリッド２０単独では使い切れない電力量のことである。このような電力の過剰分は、自然エネルギー発電装置１１０の発電電力から、電力需要１５１での消費電力と水電解装置１２２に供給する水素生成用電力とを差し引くことで求められる。
【００２８】
すなわち、（電力の過剰分）＝（発電電力）−（消費電力＋水素生成用電力）となる。水素生成用電力とは水電解装置１２２にて利用される電力のことである。また、自然エネルギー発電装置１１０の発電電力から電力需要１５１の消費電力を差し引いた電力が余剰電力となるので、（電力の過剰分）＝（余剰電力）−（水素生成用電力）としても捉えることもできる。
【００２９】
したがって、（余剰電力）＜（水素生成用電力）であれば、つまり余剰電力を水電解装置１２２での水素生成に全て利用できてしまえば、マイクログリッド２０単独で電力の過剰分が発生しないことになる。以上のようにして、ローカル監視制御装置１６０では、電力の需給バランスを監視して、各マイクログリッド２０の電力需要１５１で消費し切れず且つ水電解装置１２２でも使い切れない電力を、電力の過剰分として求める。
【００３０】
エネルギー算出部１６３にて求められる水素の過剰分とは、ある時間帯では各マイクログリッド２０にて消費も貯蔵も利用もできず、マイクログリッド２０単独では使い切れない水素量のことである。このような水素の過剰分は、水素貯蔵タンク１２３での水素貯蔵量から、水素需要１５２での消費水素と、水素貯蔵タンク１２３でのタンク空き容量と、燃料電池１３１に供給する水素量とを差し引くことで求められる。
【００３１】
すなわち、（水素の過剰分）＝（水素貯蔵量）−（消費水素＋タンク空き容量＋電力生成用水素）となる。水素貯蔵タンク１２３でのタンク空き容量とは、ある時間帯で水素貯蔵タンク１２３が満タンになるまで貯蔵することができる水素量である。電力生成用水素とは、燃料電池１３１にて電力生成に利用される水素のことである。また、水素貯蔵タンク１２３での水素貯蔵量から水素需要１５２の消費水素を差し引いた水素量が余剰水素となるので、（水素の過剰分）＝（余剰水素）−（タンク空き容量＋電力生成用水素）としてもよい。
【００３２】
したがって、（余剰水素）＜（タンク空き容量＋電力生成用水素）であれば、つまり、水素貯蔵タンク１２３に貯蔵するか、あるいは燃料電池１３１での電力生成に利用することで余剰水素を使い切ってしまえば、マイクログリッド２０単独で水素の過剰分は発生しないことになる。以上のようにして、ローカル監視制御装置１６０では、水素の需給バランスを監視して、各マイクログリッド２０の水素需要１５２で消費し切れず、水素貯蔵タンク１２３でも貯蔵できず、且つ燃料電池１３１でも使い切れない水素を、水素の過剰分として求める。
【００３３】
また、ローカル監視制御装置１６０では、電力の需給バランスを監視して、自然エネルギー発電装置１１０の発電電力が電力需要１５１の消費電力に満たない電力を、電力の不足分として求める。電力の不足分とは、自然エネルギー発電装置１１０の発電電力が電力需要１５１の消費電力量に足りなかった分である。
【００３４】
また、エネルギー算出部１６３にて算出される各マイクログリッド２０での水素の不足分とは、水電解装置１２２にて生成される水素量と水素貯蔵タンク１２３に貯蔵した水素量が水素需要１５２での水素消費量に満たない水素量である。
【００３５】
（中央監視制御装置）
中央監視制御装置４０は、ローカル監視制御装置１６０から各マイクログリッド２０の電力の過剰分及び水素の過剰分に関するデータを収集して、これら過剰分のエネルギーを、別のマイクログリッド２０に融通するための融通指令を出力する（中央監視制御処理）。
【００３６】
融通指令とは、マイクログリッド２０の需給バランスに基づき各マイクログリッド２０では過剰となっている電力又は水素を、別のマイクログリッド２０に融通するための指令である。融通指令には、マイクログリッド２０ａ、２０ｂ間に水素を融通させる水素融通指令と、マイクログリッド２０ａ、２０ｂ間に電力を融通させる電力融通指令とがある。
【００３７】
また、中央監視制御装置４０は、ローカル監視制御装置１６０から各マイクログリッド２０の電力不足分及び水素不足分、並びに各マイクログリッド２０のタンク空き容量についてのデータを収集し、過剰分を持つマイクログリッド２０から不足分を持つ別のマイクログリッド２０に対して、不足分を補い、且つタンク空き容量に相当する電力分又は水素分まで過剰分のエネルギーを融通するように融通指令を出力する。
【００３８】
（エネルギー融通機構）
図１に示すように、エネルギー融通機構３０には、マイクログリッド２０ａ、２０ｂ間に双方向に水素を流すパイプライン５２と、直流連系線６０とが設置されている。このうち、パイプライン５２には双方向水素融通装置５１が設置されている。また、パイプライン５２には各マイクログリッド２０の水素貯蔵タンク１２３が接続されている。
【００３９】
直流連系線６０は、各マイクログリッド２０の自然エネルギー発電機１１１が発電した直流電力の送電線に接続されている。このようなエネルギー融通機構３０は、中央監視制御装置４０か融通指令ら入力して、融通指令に基づいてマイクログリッド２０ａ、２０ｂ間で、前述した電力及び水素の過剰分を融通する（エネルギー融通処理）。
【００４０】
（作用）
(マイクログリッド単位での運用)
マイクログリッド２０の運用について、図２を参照して説明する。各マイクログリッド２０では、制御対象とする時間帯において、ローカル監視制御装置１６０のローカル監視部１６１が、マイクログリッド２０における電力及び水素に関する需給バランスを監視する。
【００４１】
ローカル監視部１６１が電力の需給バランスを監視して、制御対象とする時間帯において自然エネルギー発電装置１１０の発電電力が電力需要１５１の消費電力を上回った場合、エネルギー算出部１６３は、自然エネルギー発電装置１１０の発電電力から電力需要１５１の消費電力を差し引くことで、余剰電力を求める。
【００４２】
この算出結果を受けて、ローカル監視制御装置１６０のローカル制御部１６２は、水電解装置１２２に対して余剰電力の値を入力電力指令として送信する。水電解装置１２２は、ローカル制御部１６２から入力電力指令を受けると、ＡＣ／ＤＣ変換器１２１を介して余剰電力を入力し、水の電気分解による電力に使用することで、水素を生成する。水素貯蔵タンク１２３は、水電解装置１２２にて生成された水素を貯蔵する。
【００４３】
このように、自然エネルギー発電装置１１０が生成した電力が電力需要１５１の消費電力に対して余って余剰電力が発生した場合には、余剰電力にて水素を生成しつつ、自然エネルギー発電装置１１０の発電電力と余剰電力との差分だけを電力需要１５１に供給する。これにより、マイクログリッド２０は電力の需要と供給をバランスさせることができる。
【００４４】
また、ローカル監視部１６１が電力の需給バランスを監視して、制御対象とする時間帯において、自然エネルギー発電装置１１０の発電電力が電力需要１５１の消費電力を下回った場合、エネルギー算出部１６３は、電力需要１５１の消費電力から自然エネルギー発電装置１１０の発電電力を差し引くことで、電力の不足分を求める。
【００４５】
この算出結果を受けて、ローカル監視制御装置１６０のローカル制御部１６２は燃料電池１３１に対して電力の不足分の値を出力電力指令として送る。ローカル制御部１６２から出力電力指令を受けた燃料電池１３１は、水素貯蔵タンク１２３に貯蔵された水素を利用して電力の不足分を出力し、この電力をＤＣ／ＡＣ変換器１３２を介して電力需要１５１に供給する。このように、マイクログリッド２０にて電力が不足した場合でも、電力自然エネルギー発電装置１１０の発電電力と燃料電池１３１の発電電力の和を電力需要１５１に供給することで、マイクログリッド２０は電力の需要と供給をバランスさせることができる。
【００４６】
(マイクログリッドの連系運用)
次に、２地点のマイクログリッド２０を連系させたマイクログリッド連系システム１０の運用について、図１を参照して説明する。まず、エネルギーを融通する側のマイクログリッド２０の運用について説明し、続いて、エネルギーが融通される側のマイクログリッド２０の運用について説明する。
【００４７】
(マイクログリッド２０ａが融通側)
マイクログリッド２０ａを融通側とする場合、制御対象とする時間帯において、マイクログリッド２０ａは、「自然エネルギー発電装置１１０ａの発電電力が電力需要１５１ａを上回る」且つ「水素貯蔵タンク１２３ａが満タンである」という状態である。この状態では、マイクログリッド２０ａにて余剰電力が発生し、且つ水素貯蔵タンク１２３ａに水素を貯蔵することができない。そのため、従来であれば電力エネルギーを捨てざるを得なかった系統状態である。
【００４８】
中央監視制御装置４０は、各マイクログリッド２０の電力又は水素の過剰分や不足分のついてのデータ、並びに、各マイクログリッド２０における水素貯蔵タンク１２３のタンク空き容量についてのデータを、ローカル監視制御装置１６０から収集する。収集した各データに基づいて、中央監視制御装置４０が、マイクログリッド２０ａは余剰電力が発生し、且つ水素貯蔵タンク１２３ａが満タンであると検出した場合、中央監視制御装置４０は、マイクログリッド２０ａのローカル監視制御装置１６０ａに対して設定値変更指令Ａを送信する。マイクログリッド２０ａでは水素貯蔵タンク１２３ａが満タンなので、ローカル監視制御装置１６０ａは、水電解装置１２２ａへの入力電力指令をゼロ、つまり水電解装置１２２ａが水素生成を行わないようにする入力電力指令に変更する。
【００４９】
また、中央監視制御装置４０は、マイクログリッド２０ａが上記の状態であることを検出した場合、エネルギー融通機構３０にマイクログリッド２０ａに電力融通指令あるいは水素融通指令を送信する。これらの融通指令は、電力の過剰分を持つマイクログリッド２０ａから、電力の不足分を持つ別のマイクログリッド２０ｂに対し、マイクログリッド２０ｂの電力不足分を補い、且つ水素貯蔵タンク１２３ｂの空き容量に相当する電力分又は水素分まで、電力の過剰分あるいは水素の過剰分のエネルギーを融通する指令となる。
【００５０】
エネルギー融通機構３０は、例えば、電力融通指令を受けると、自然エネルギー発電装置１１０ａの発電電力のうち、マイクログリッド２０ａの電力の過剰分を、直流連系線６０を介して、マイクログリッド２０ａからマイクログリッド２０ｂに融通させる。電力の過剰分を融通した方のマイクログリッド２０ａでは、ローカル監視制御装置１６０ａが自然エネルギー発電装置１１０ａの発電電力を、実際の発電電力から融通した過剰分を引いた値として、運用を行う。また、電力の過剰分が融通された方のマイクログリッド２０ｂでは、ローカル監視制御装置１６０ｂが自然エネルギー発電装置１１０ｂの発電電力を、実際の発電電力と融通された過剰分とを足した値として運用を行う。
【００５１】
エネルギー融通機構３０が水素融通指令を受けた場合には、双方向水素融通装置５１は、電力の過剰分を水電解装置１２２ａに送ることで生成した水素及び水素貯蔵タンク１２３ａに貯蔵されている水素を、パイプライン５２を介して、マイクログリッド２０ａからマイクログリッド２０ｂに融通させる。エネルギー融通機構３０は、中央監視制御装置４０が出力した融通指令に従い、電力の過剰分を持つマイクログリッド２０ａから、電力の不足分を持つ別のマイクログリッド２０ｂに対し、マイクログリッド２０ｂの不足分を補い、且つ水素貯蔵タンク１２３ｂのタンク空き容量に相当する電力分又は水素分まで、電力の過剰分のエネルギーを融通した時点で、エネルギーの融通が終了する。
【００５２】
マイクログリッド２０ａでは、水素貯蔵タンク１２３ａに貯蔵されている水素をパイプライン５２を介してマイクログリッド２０ｂに融通したことで、水素貯蔵タンク１２３ａに空き容量を作ることができる。そのため、マイクログリッド２０ａでは、水電解装置１２２ａによる更なる水素生成が可能となる。
【００５３】
また、水素が融通された方のマイクログリッド２０ｂでは、いったん水素貯蔵タンク１２３ｂに水素を貯蔵し、燃料電池１３１ｂにて水素貯蔵タンク１２３ｂに貯蔵した水素と空気中の酸素との化学反応により電力を生成するようにしてもよい。このとき、マイクログリッド２０ｂのローカル監視制御装置１６０ｂでは、自然エネルギー発電装置１１０ｂの発電電力と、燃料電池１３１ｂにて発電した電力とを足した値として運用を行う。
【００５４】
マイクログリッド２０ｂでは、水素貯蔵タンク１２３ｂに空き容量に相当する電力分又は水素分まで過剰分のエネルギーが融通されるので、水電解装置１２２ｂの入力電力指令にて水素貯蔵タンク１２３ｂに水素を供給しても、制御対象時間帯の範囲では水素貯蔵タンク２０ｂから水素が溢れることにはならない。以上のようにして、マイクログリッド２０ａからマイクログリッド２０ｂに対し、マイクログリッド２０ａ側で余った電力あるいは水素の過剰分を融通することで、マイクログリッド２０ａを単独で運用した場合に発生するエネルギーの空費を回避することができる。
【００５５】
なお、マイクログリッド２０ｂの自然エネルギー発電機１１１ｂの発電電力とマイクログリッド２０ａの自然エネルギー発電機１１１ａの発電電力との和が、電力需要１５１ａ且つ水素需要１５２ａへの供給のための水素生成に必要となる電力との和よりも大きいことを前提とする。また、マイクログリッド２０ｂでは、変更された水電解装置１２２ｂの入力電力指令に対して水素を生成して、生成した水素を水素貯蔵タンク２０ｂに取り込んだとしてもタンク２０ｂが満タンになることないマイクログリッドとする。さらに、変更された燃料電池１３１ｂの出力電力指令に対して発電しても、燃料電池１３１ｂに供給されて水素貯蔵タンク１２３ｂがゼロとなることがなく運用が可能であるマイクログリッドとする。このような前提に立った上で、マイクログリッド２０ｂ側の運用について、次の３つのケースＡ１〜Ａ３に分けて説明する。
【００５６】
ケースＡ１は、エネルギーが融通されるマイクログリッド２０ｂ側で、自然エネルギー発電装置１１０ｂの発電電力が電力需要１５１ｂで消費し切れずに余剰電力が発生した場合である。マイクログリッド２０ｂ側でこのような状態を中央監視制御装置４０が検出すると、中央監視制御装置４０は、マイクログリッド２０ｂのローカル監視制御装置１６０ｂへ設定値変更指令Ａ１を送信する。
【００５７】
設定値変更指令Ａ１を受けたマイクログリッド２０ｂのローカル監視制御装置１６０ｂは、水電解装置１２２ｂへの入力電力指令を変更する。変更後の入力電力指令を受けた水電解装置１２２ｂは、マイクログリッド２０ｂの余剰電力と、マイクログリッド２０ａ側から融通された電力の過剰分との和となる電力で、水素を生成する。水素貯蔵タンク１２３ｂは生成した水素を満タンになるまで貯蔵する。
【００５８】
ケースＡ２は、マイクログリッド２０ｂ側は電力不足状態にあり、マイクログリッド２０ａの電力の過剰分が不足電力分よりも大きい場合である。このような状態を検出した中央監視制御装置４０は、マイクログリッド２０ｂのローカル監視制御装置１６０ｂへ設定値変更指令Ａ２を送信する。この設定値変更指令Ａ２を受けたマイクログリッド２０ｂのローカル監視制御装置１６０ｂでは、燃料電池１３１ｂの出力電力指令の設定値をゼロに変更する。変更後の出力電力指令を受けた燃料電池１３１ｂでは、電力生成を停止する。また、ローカル監視制御装置１６０ｂでは、水電解装置１２２ｂへの入力電力指令の設定値を、マイクログリッド２０ａの余剰電力からマイクログリッド２０ｂの不足電力を引いた入力電力指令に変更する。そのため、水電解装置１２２ｂは、入力電力指令の分だけ、水素を生成する。
【００５９】
ケースＡ３では、マイクログリッド２０ｂ側は電力不足状態にあり、さらにマイクログリッド２０ｂ側の電力不足分がマイクログリッド２０ａの電力過剰分よりも大きい場合である。このような状態を検出した中央監視制御装置４０は、マイクログリッド２０ｂのローカル監視制御装置１６０ｂへ設定値変更指令Ａ３を送信する。
【００６０】
この設定値変更指令Ａ３を受けたマイクログリッド２０ｂのローカル監視制御装置１６０ｂでは、燃料電池１３１ｂへの出力電力指令の設定値を、マイクログリッド２０ｂの不足電力からマイクログリッド２０ａの余剰電力を引いた出力電力指令に変更する。変更後の出力電力指令を受けた燃料電池１３１ｂでは、マイクログリッド２０ａの電力の過剰分を取り入れても、さらにマイクログリッド２０ｂ側の不足電力分が賄い切れない分だけ電力を出力する。また、変更後の水電解装置１２２ｂへの入力電力指令はゼロとなり、水電解装置１２２ｂは水素生成を停止して、電力を使用することはない。
【００６１】
(マイクログリッド２０ａが被融通側)
続いて、マイクログリッド２０ｂからマイクログリッド２０ａへ電力及び水素の過剰分を融通する場合のマイクログリッド２０ａの運用、つまり融通される側となるマイクログリッド２０ａの運用について説明する。マイクログリッド２０ａを被融通側とする場合、制御対象とする時間において、マイクログリッド２０ａは、「自然エネルギー発電装置１１０ａの発電電力と燃料電池１３１ａの発電電力との和が電力需要１５１ａを下回る」且つ「水素貯蔵タンク１２３ａに利用できる水素が存在しない」という状態である。
【００６２】
この状態では、マイクログリッド２０ａにおいて電力不足が発生しており、且つ水素貯蔵タンク１２３ａに貯蔵中の水素が無く、電力の不足分を燃料電池１３１ａによる発電にて補うことが不可能である。そのため、マイクログリッド２０ａが電力及び水素共に不足しており、従来であれば電力需要及び水素需要への供給停止に陥る系統状態である。このとき、マイクログリッド２０ｂ側には電力又は水素の過剰分が存在すると仮定する。
【００６３】
中央監視制御装置４０は、各マイクログリッド２０の電力又は水素の過剰分や不足分のついてのデータ、並びに、各マイクログリッド２０における水素貯蔵タンク１２３のタンク空き容量についてのデータを、ローカル監視制御装置１６０から収集する。収集した各データに基づいて、中央監視制御装置４０が、マイクログリッド２０ａは上記の状態であると検出した場合、中央監視制御装置４０は、マイクログリッド２０ａのローカル監視制御装置１６０ａに対して設定値変更指令Ｂを送信する。
【００６４】
また、中央監視制御装置４０は、マイクログリッド２０ａが上記の状態であることを検出した場合、エネルギー融通機構３０に対しマイクログリッド２０ｂに電力融通指令あるいは水素融通指令を送信する。これらの融通指令は、電力の過剰分を持つマイクログリッド２０ｂから、電力の不足分を持つマイクログリッド２０ａに対し、マイクログリッド２０ａの電力不足分を補い、且つ水素貯蔵タンク１２３ｂの空き容量に相当する電力分又は水素分まで、電力の過剰分あるいは水素の過剰分のエネルギーを融通する指令となる。
【００６５】
エネルギー融通機構３０は、例えば、電力融通指令を受けると、マイクログリッド２０ａの電力の不足分を、直流連系線６０を介して、マイクログリッド２０ｂからマイクログリッド２０ａに融通させる。電力が融通される方のマイクログリッド２０ａのローカル監視制御装置１６０ａは、自然エネルギー発電装置１１０ａの発電電力を、実際の発電電力と融通された電力を足した値として運用を行う。また、電力を融通した方のマイクログリッド２０ｂのローカル監視制御装置１６０ｂは、自然エネルギー発電装置１１０ａの発電電力を、実際の発電電力から融通した電力を引いた値として運用を行う。
【００６６】
エネルギー融通機構３０が水素融通指令を受けた場合には、双方向水素融通装置５１は、電力の過剰分を水電解装置１２２ｂに送ることで生成した水素を、パイプライン５２を介して、マイクログリッド２０ｂからマイクログリッド２０ａに融通させる。エネルギー融通機構３０は、中央監視制御装置４０が出力した融通指令に従い、電力の過剰分を持つマイクログリッド２０ｂから、電力の不足分を持つマイクログリッド２０ａに対し、水素貯蔵タンク１２３ａの空き容量に相当する電力分又は水素分まで、過剰分のエネルギーを融通した時点で、エネルギーの融通が終了する。
【００６７】
マイクログリッド２０ｂでは、水素貯蔵タンク１２３ａに貯蔵されている水素をパイプライン５２を介してマイクログリッド２０ａに融通したことで、水素貯蔵タンク１２３ｂに空き容量を作ることができる。そのため、マイクログリッド２０ｂでは、水電解装置１２２ａによる更なる水素生成が可能となる。
【００６８】
また、水素が融通された方のマイクログリッド２０ａでは、いったん水素貯蔵タンク１２３ａに水素を貯蔵し、燃料電池１３１ａにて水素貯蔵タンク１２３ａに貯蔵した水素と空気中の酸素との化学反応により電力を生成するようにしてもよい。このとき、マイクログリッド２０ａのローカル監視制御装置１６０ａでは、自然エネルギー発電装置１１０ａの発電電力と、燃料電池１３１ａにて発電した電力とを足した値として運用を行う。
【００６９】
なお、マイクログリッド２０ａ側には利用できる水素が存在しないので、水電解装置１２２ａの入力電力指令にて、水素貯蔵タンク１２３ａに水素が供給されても、制御対象時間内には水素貯蔵タンク２０ａが満タンになることはない。以上のようにして、マイクログリッド２０ｂからマイクログリッド２０ａに対し、マイクログリッド２０ｂ側で余った電力あるいは水素の過剰分を融通することで、マイクログリッド２０ａを単独で運用した場合に発生する電力需要及び水素需要への供給停止について、これを回避することができる。
【００７０】
上記のケースでは、マイクログリッド２０ｂは、マイクログリッド２０ａ側に電力あるいは水素の過剰分のエネルギーを融通しても、水素貯蔵タンク１２３ｂの水素貯蔵量が十分にあることを前提としている。このような前提に立った上で、マイクログリッド２０ｂの運用について、次の２つのケースＢ１、Ｂ２に分けて説明する。
【００７１】
ケースＢ１は、マイクログリッド２０ｂ側で余剰電力が発生し続けている状態の運用である。このような状態を検出した中央監視制御装置４０は、マイクログリッド２０ｂのローカル監視制御装置１６０ｂへ設定値変更指令Ｂ１を送信する。設定値変更指令Ｂ１を受けたマイクログリッド２０ｂのローカル監視制御装置１６０ｂは、マイクログリッド２０ｂの水電解装置１２２ｂへの入力電力指令を変更する。変更後の入力電力指令は、マイクログリッド２０ｂの余剰電力から、マイクログリッド２０ａの不足電力且つマイクログリッド２０ａの水素需要に供給するための水素生成に必要となる電力を、引いた入力電力指令である。
【００７２】
ケースＢ２は、マイクログリッド２０ｂ側で電力不足状態に陥った場合の運用である。このような状態を検出した中央監視制御装置４０は、マイクログリッド２０ｂのローカル監視制御装置１６０ｂへ設定値変更指令Ｂ２を送信する。この設定値変更指令Ｂ２を受けたマイクログリッド２０ｂのローカル監視制御装置１６０ｂは、マイクログリッド２０ｂの燃料電池１３１ｂの出力電力指令を変更する。変更後の入力電力指令は、マイクログリッド２０ａとマイクログリッド２０ｂの自然エネルギー発電電力の和から、マイクログリッド２０ａとマイクログリッド２０ｂの電力需要の和且つマイクログリッド２０ａの水素需要に供給するための水素生成に必要となる電力を、引いた入力電力指令である。
【００７３】
（効果）
上記の構成を有する本実施形態によれば、エネルギー融通機構３０が、中央監視制御装置４０の出力する融通指令を受けて、パイプライン５２、双方向水素融通装置５１及び直流連系線６０を介して、マイクログリッド２０から他のマイクログリッド２０に対し、電力又は水素の過剰分のエネルギーを融通することができる。このとき、パイプライン５２を各マイクログリッド２０の水素貯蔵タンク１２３に接続するので、融通した水素の貯蔵が容易である。
【００７４】
また、マイクログリッド２０では、水素貯蔵タンク１２３内の水素を燃料電池１３１に与えて電力を生成することで、水素の過剰分のエネルギーを電力エネルギーに置き換えることもできる。さらに、マイクログリッド２０では、直流連系線６０を介して供給された電力の過剰分を水電解装置１２１に与えることで水素を生成し、これを水素貯蔵タンク１２３に貯蔵することができる。すなわち、電力の過剰分のエネルギーを水素エネルギーに置き換えて、蓄えておくこともできる。
【００７５】
以上のマイクログリッド連系システム１０では、マイクログリッド２０が離島や山岳地など、地理的な条件が厳しい場所に設置されたとしても、十分な規模の水素貯蔵タンク１２３を設置することなく、エネルギーの利用効率を高めることができる。また、電力又は水素の過剰分をマイクログリッド２０ａ、２０ｂ同士で融通することで、電力需要１５１及び水素需要１５２への供給停止を確実に回避することが可能となる。このように、マイクログリッド連系システム１０では、複数のマイクログリッド２０同士を連系したシステムを構築し、複数のマイクログリッドを統合的に制御することにより、系統運用を長期にわたって安定して実施することができる。
【００７６】
また本実施形態では、ローカル監視制御装置１６０が、任意の時間帯における各マイクログリッド２０での電力又は水素の不足分と、水素貯蔵タンク１２３のタンク空き容量とを求め、中央監視制御装置４０が、ローカル監視制御装置１６０から各マイクログリッド２０の不足分及び水素貯蔵タンク１２３のタンク空き容量についてのデータを収集し、過剰分を持つマイクログリッド２０から不足分を持つ別のマイクログリッド２０に対して不足分を補い、且つタンク空き容量に相当する電力分又は水素分まで過剰分のエネルギーを融通するように融通指令を出力する。
【００７７】
このため、マイクログリッド連系システム１０に属する複数のマイクログリッド２０において、過剰分を持つマイクログリッド２０同士で、電力又は水素の過剰分のエネルギーを融通し合うことがない。しかも、本実施形態では、マイクログリッド２０の水素貯蔵タンク１２３の水素貯蔵量の限界まで、マイクログリッド２０における電力及び水素の過剰分の過剰エネルギーを融通することが可能である。したがって、マイクログリッド連系システム１０において、生成した電力又は水素のエネルギーを一切捨てることなく、より効率良く利用することができ、エネルギーの利用効率がさらに向上する。
【００７８】
（他の実施形態）
上記の実施形態は、一例であって、発明の範囲を限定するものではなく、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【００７９】
上記の各部の処理を実行する方法、プログラム及びプログラムを記録した記録媒体も、実施形態の一態様である。また、ハードウェアで処理する範囲、プログラムを含むソフトウェアで処理する範囲をどのように設定するかは、特定の態様には限定されない。さらに、上記の各部のいずれかを、それぞれの処理を実現する回路として構成することも可能である。
【００８０】
例えば、図４に示すマイクログリッド連系システム１０は、エネルギー融通機構３０として、直流連系線６０に代えて、交流連系線７０を備えている。交流連系線７０以外の構成に関しては上記第１の実施形態と同様であるため、同一の部材に関しては同一符号を付して説明は省略する。交流連系線７０は、各マイクログリッド２０の電力需要１５１への供給を行う交流電力の送電線に接続されており、自然エネルギー発電装置１１０が発電した交流電力且つ燃料電池１３１が発電した交流電力を双方向に送電できる。以上のような実施形態においても、上記第１の実施形態と同様の作用及び効果を発揮することができる。
【００８１】
上記の実施形態では、エネルギー融通機構３０として、双方向水素融通装置５１を備えたパイプライン５２と、直流連系線６０あるいは交流連系線７０を設けるようにしたが、エネルギー融通機構３０では、電力及び水素の過剰分のうちの少なくとも一方を融通するようにしてもよい。また、エネルギー融通機構３０として、電力の過剰分を融通する機構と、水素の過剰分を融通する機構を両方とも、２つ以上設けるようにしてもよい。
【００８２】
例えば、双方向水素融通装置５１を備えたパイプライン５２を２系統設けてもよい。このような実施形態では、一方の双方向水素融通装置５１及びパイプライン５２が故障した場合でも、他方の双方向水素融通装置５１及びパイプライン５２が動作可能であれば、水素融通が可能である。したがって、より高い信頼性を発揮しつつ、上記の作用及び効果を得ることができる。
【００８３】
ローカル監視制御装置１６０にて制御対象とする時間における水素貯蔵タンク１２３の水素の貯蔵余力を求めるようにしておき、中央監視制御装置４０にて貯蔵余力に相当する水素量を水素の融通量とする水素融通指令を、エネルギー融通機構３０に出力するようにしてもよい。また、ローカル監視制御装置１６０にて制御対象とする時間における燃料電池１３１の充電余力を求めるようにしておき、中央監視制御装置４０にて充電余力に相当する電力量を電力の融通量とする電力融通指令を、エネルギー融通機構３０に出力するようにしてもよい。このような実施形態では、水素貯蔵タンク１２３の水素の貯蔵余力あるいは燃料電池１３１の充電余力を予め求めておくことで、水素融通又は電力融通を、より高い精度で実施することが可能となり、信頼性が一層向上する。
【００８４】
燃料電池１３１は、発電装置としての役割だけではなく、水素の貯蔵装置としても捉えることが可能なので、その貯蔵量を水素貯蔵タンク１２３の容量の一部として組み込むようにしてもよい。また、蓄電池１４２は、自然エネルギー発電装置１１０の発電電力の短周期変動抑制を目的とした充放電だけではなく、電力エネルギーを蓄える蓄電装置として用いてもよい。
【符号の説明】
【００８５】
１０…マイクログリッド連系システム
１１０…自然エネルギー発電装置
１１１…自然エネルギー発電機
１１２…ＤＣ／ＡＣ変換器
１２１…ＡＣ／ＤＣ変換器
１２２…水電解装置
１２３…水素貯蔵タンク
１２４…水素供給装置
１３１…燃料電池
１３２…ＤＣ／ＡＣ変換器
１４１…ＡＣ／ＤＣ変換器
１４２…蓄電池
１５１…電力需要
１５２…水素需要
１６０…ローカル監視制御装置
１６１…ローカル監視部
１６２…ローカル制御部
１６３…エネルギー算出部
２０、２０ａ、２０ｂ…マイクログリッド
３０…エネルギー融通機構
４０…中央監視制御装置
５１…双方向水素融通装置
５２…パイプライン
６０…直流連系線
７０…交流連系線
【図１】
2019022381.tif 000003
【図２】
2019022381.tif 000004
【図３】
2019022381.tif 000005